(57)【要約】【課題】  時間差を計測するときに無駄な光ビームの点灯をなくし、画像品質の低下を防止し、ＬＤの寿命を長くすることができるようにする。【解決手段】  同期検知用点灯制御部３４は、フレア光が発生しない程度で確実に同期検知信号ＸＤＥＴＰとＸＥＤＥＴＰが検出できるタイミングでＬＤを点灯させ、同期検知信号ＸＤＥＴＰとＸＥＤＥＴＰを検出したらＬＤを消灯するＬＤ強制点灯信号ＢＤを生成し、ＬＤ制御部３５に送る。同期検知用点灯制御部３４のＯＲ回路は、スタート側点灯信号とエンド側点灯信号をＯＲする回路である。また、プリンタ制御部３１からの制御信号１、２により、各々の点灯信号をＯＮ／ＯＦＦできる機能を有している。このため、時間差の計測時のみエンド側同期検知信号ＸＥＤＥＴＰを検出するためのＬＤ点灯を行い、それ以外は消灯しておくことが容易にできる。【選択図】  図５
2005193611.tif 000002
【特許請求の範囲】
【請求項１】
光ビームを発する発光源と、前記発光源から出力される光ビームを複数の偏向面によって主走査方向に偏向する偏向手段と、前記偏向手段により偏向された光ビームを主走査線上の２カ所で検出する光ビーム検出手段と、１つの光ビーム検出手段が光ビームを検出してから他の光ビーム検出手段が光ビームを検出するまでの時間差を計測する時間差計測手段と、前記時間差計測手段により計測された時間差から主走査方向の画像倍率を補正するよう制御する制御手段とを備えた画像形成装置であって、
前記制御手段は、主走査線上の２カ所で光ビームを検出するための光ビームの点灯タイミングを各々独立に可変制御できることを特徴とする画像形成装置。
【請求項２】
前記制御手段は、画像倍率の補正に伴い、点灯タイミングの設定値を可変することを特徴とする請求項１記載の画像形成装置。
【請求項３】
前記制御手段は、予め設定されたタイミングで光ビームを消灯することを特徴とする請求項１または２記載の画像形成装置。
【請求項４】
前記制御手段は、画像倍率の補正に伴い、消灯タイミングの設定値を可変することを特徴とする請求項３記載の画像形成装置。
【請求項５】
前記制御手段は、主走査後方側の光ビーム検出手段が光ビームを検出するための前記発光源の点灯については、時間差を計測する時のみ行うよう制御することを特徴とする請求項１から４の何れか１項に記載の画像形成装置。
【発明の詳細な説明】
【技術分野】
【０００１】
本発明は、画像形成装置に関し、特に、像担持体上を光ビームが走査することにより画像形成を行う画像形成装置に関する。
【背景技術】
【０００２】
一般に、光ビーム走査装置を用いた画像形成装置では、光ビームを画像データにより変調し、ポリゴンミラーを回転させることにより主走査方向に等角速度偏向し、ｆθレンズにより等角速度偏向を等速度偏向に補正し、感光体上に走査するように構成されている。
【０００３】
ここで、一般に画像形成装置においては、特にｆθレンズとしてプラスチックレンズを用いた場合に、環境温度の変化や機内温度の変化等によってプラスチックレンズの形状、屈折率が変化する。こうして変化した場合、感光体の像面での走査位置が変化し、主走査方向の画像倍率誤差が発生し、高品位の画像が得られなくなる虞がある。
【０００４】
また、複数の光ビーム、レンズを用いて複数色の画像を形成する従来の画像形成装置においては、それぞれの光ビームの倍率誤差による色ずれが発生すると、高品位の画像が得られなくなる虞がある。それぞれの光ビームの走査方向が逆である光ビーム走査装置を用いた場合には倍率誤差がそのまま色ずれとなってしまうため、画像品質が低下してしまう。
【０００５】
このようなことから、環境温度の変化や、機内温度の変化等によって発生する画像倍率誤差、色ずれを補正するため、本出願人により先に出願されている特許文献１の技術がある。
【０００６】
特許文献１では、光ビームを少なくとも２つのセンサで検出し、センサ間の通過時間間隔を所定のクロックのカウント数で計測し、その結果が予め設定された基準カウント値と一致するように書込み画周波数を変更することで主走査の倍率を補正し、補正後の画周波数で新たに基準カウント値の取得、更新を行っている。
このことにより、温度変化の影響による走査位置の変化に影響されることなく、常に等倍性を保った高品位の画像、色ずれのない高品位の画像を得ることを目的としている。
【特許文献１】特開２００２−１６０３９８号公報
【発明の開示】
【発明が解決しようとする課題】
【０００７】
しかしながら、上述した特許文献１のものについては、開始側センサおよび終了側センサをビームが通過する前に光ビームを点灯しておけば良いが、画像形成中に計測する場合は、光ビームの点灯によるフレア光が画像に影響する可能性があり、また、ＬＤの寿命を考えるとできる限り点灯時間は短い方が好ましい。
また、倍率を補正するために書込み画周波数を変更すると、それで動作するカウンタを用いて光ビームの点灯タイミングを制御している場合、センサ位置に対する点灯開始位置が変化し、センサで光ビームを検出できなくなる可能性がある。
【０００８】
本発明はこのような状況に鑑みてなされたものであり、時間差を計測するときに無駄な光ビームの点灯をなくし、画像品質の低下を防止し、ＬＤの寿命を長くすることができる画像形成装置を提供することを目的とする。
他に目的とすることは、時間差を計測する光ビームを確実に検出できる画像形成装置を提供することである。
【課題を解決するための手段】
【０００９】
かかる目的を達成するために、本発明に係る画像形成装置は、光ビームを発する発光源と、発光源から出力される光ビームを複数の偏向面によって主走査方向に偏向する偏向手段と、偏向手段により偏向された光ビームを主走査線上の２カ所で検出する光ビーム検出手段と、１つの光ビーム検出手段が光ビームを検出してから他の光ビーム検出手段が光ビームを検出するまでの時間差を計測する時間差計測手段と、時間差計測手段により計測された時間差から主走査方向の画像倍率を補正するよう制御する制御手段とを備えた画像形成装置であって、制御手段は、主走査線上の２カ所で光ビームを検出するための光ビームの点灯タイミングを各々独立に可変制御できることを特徴とする。
【００１０】
上記した制御手段は、画像倍率の補正に伴い、点灯タイミングの設定値を可変することが好ましい。
上記した制御手段は、予め設定されたタイミングで光ビームを消灯することが好ましい。
上記した制御手段は、画像倍率の補正に伴い、消灯タイミングの設定値を可変することが好ましい。
上記した制御手段は、主走査後方側の光ビーム検出手段が光ビームを検出するための発光源の点灯については、時間差を計測する時のみ行うよう制御することが好ましい。
【発明の効果】
【００１１】
以上のように、本発明によれば、時間差を計測するときに無駄な光ビームの点灯をなくし、画像品質の低下を防止し、発光源の寿命を長くすることができる。
また、時間差を計測するための光ビームを確実に検出することができる。
【発明を実施するための最良の形態】
【００１２】
次に、本発明に係る画像形成装置を図面を用いて詳細に説明する。
【実施例１】
【００１３】
図１に、本発明の第１の実施形態としての画像形成装置における光ビーム走査装置１０、感光体２０周りの構成の概要について示す。
上記の光ビーム走査装置１０について、画像データによって点灯するＬＤの光ビームは、コリメートレンズ（図示せず）により平行光束化され、シリンダレンズ（図示せず）を通り、ポリゴンモータによって回転するポリゴンミラー１１によって偏向され、ｆθレンズを通り、ＢＴＬを通り、ミラーによって反射し、感光体２０上を走査する。ＢＴＬとは、バレル・トロイダル・レンズの略で、副走査方向のピント合わせ（集光機能と副走査方向の位置補正（面倒れ等））を行っている。
【００１４】
感光体２０の回りには、帯電器、現像ユニット、転写器、クリーニングユニット、除電器が備わっており、通常の電子写真プロセスである帯電、露光、現像、転写により記録紙上に画像が形成される。そして図示していないが定着装置によって記録紙上の画像が定着される。
本実施形態では、ポリゴンミラー１１は６面としている。
【００１５】
図２に、本実施形態としての画像形成装置における画像形成制御部および光ビーム走査装置１０を示す。
光ビーム走査装置１０の主走査方向両端部に光ビームを検出する同期検知センサ１（１３ａ）、同期検知センサ２（１３ｂ）が備わっており、ｆθレンズ１４を透過した光ビームがミラー１（１５ａ）、ミラー２（１５ｂ）によって反射され、レンズ１（１６ａ）、レンズ２（１６ｂ）によって集光させて同期検知センサ１（１３ａ）、同期検知センサ２（１３ｂ）に入射するような構成になっている。
【００１６】
光ビームがセンサ上を通過することにより、同期検知センサ１（１３ａ）からスタート側同期検知信号ＸＤＥＴＰが出力され、同期検知センサ２（１３ｂ）からエンド側同期検知信号ＸＥＤＥＴＰが出力され、倍率誤差検出部３２に入力する。倍率誤差検出部３２では、スタート側同期検知信号ＸＤＥＴＰの立ち下がりエッジからエンド側同期検知信号ＸＥＤＥＴＰの立ち下がりエッジまでの時間を計測し、基準時間差と比較し、その差分に相当する補正データをプリンタ制御部３１で生成し、画素クロック生成部３３に送り、画素クロック周波数を可変することで画像倍率を補正する。
【００１７】
同期検知信号ＸＤＥＴＰは、画素クロック生成部３３にも送られる。画素クロック生成部３３では、同期検知信号ＸＤＥＴＰに同期した画素クロックＰＣＬＫを生成し、同期検知用点灯制御部３４およびＬＤ制御部３５に送る。
また、同期検知信号ＸＤＥＴＰ、ＸＥＤＥＴＰは、同期検知用点灯制御部３４にも送られる。同期検知用点灯制御部３４は、最初に同期検知信号ＸＤＥＴＰを検出するために、ＬＤ強制点灯信号ＢＤをＯＮしてＬＤを強制点灯させるが、同期検知信号ＸＤＥＴＰを検出した後には、同期検知信号ＸＤＥＴＰと画素クロックＰＣＬＫによって、フレア光が発生しない程度で確実に同期検知信号ＸＤＥＴＰとＸＥＤＥＴＰがそれぞれ検出できるタイミングでＬＤを点灯させ、同期検知信号ＸＤＥＴＰとＸＥＤＥＴＰをそれぞれ検出したらＬＤを消灯するＬＤ強制点灯信号ＢＤを生成し、ＬＤ制御部３５に送る。
【００１８】
ＬＤ制御部３５では、同期検知用強制点灯信号ＢＤおよび画素クロックＰＣＬＫに同期した画像信号に応じてレーザを点灯制御する。そして、ＬＤユニット１２からレーザビームが出射し、ポリゴンミラー１１に偏向され、ｆθレンズ１４を通り、感光体２０上を走査することになる。
ポリゴンモータ制御部３６は、プリンタ制御部３１からの制御信号により、ポリゴンモータを規定の回転数で回転制御する。
【００１９】
図３に、倍率誤差検出部３２の構成を示す。
時間差カウント部と比較制御部とを備えて構成されていて、時間差カウント部はカウンタとラッチで構成されている。スタート側同期検知信号ＸＤＥＴＰでカウンタがクリアされ、クロックＶＣＬＫでカウントアップし、エンド側同期検知信号ＸＥＤＥＴＰの立ち下がりエッジでカウント値をラッチする。そして、カウント値（時間差：Ｔ）と予め設定してある基準時間差Ｔ０とを比較制御部で比較し、その差分データ（倍率誤差データ）を求め、プリンタ制御部３１に送る。プリンタ制御部３１では、倍率誤差データから画素クロック周波数の設定値を算出し、補正データとして画素クロック生成部３３に送る。
基準時間差：Ｔ０は、例えば、予め６面分を測定しておき、その平均値としておく。
【００２０】
画素クロック生成部３３は、基準クロック発生部３３１と、ＶＣＯ（Voltage Controlled Oscillator ：電圧制御発振器）クロック発生部３３２と、位相同期クロック発生部３３３とから構成されている。
図４にＶＣＯクロック発生部３３２（ＰＬＬ回路：Phase Locked Loop ）の構成を示すが、基準クロック発生部３３１からの基準クロック信号ＦＲＥＦと、ＶＣＬＫを１／Ｎ分周器でＮ分周した信号を位相比較器に入力し、位相比較器では、両信号の立ち下がりエッジの位相比較が行なわれ、誤差成分を定電流出力する。そしてＬＰＦ（ローパスフィルタ）によって不要な高周波成分や雑音を除去し、ＶＣＯに送る、ＶＣＯではＬＰＦの出力に依存した発振周波数を出力する。従って、プリンタ制御部３１からの補正データによりＦＲＥＦの周波数と分周比：Ｎを可変することで、ＶＣＬＫの周波数を可変できる。
【００２１】
位相同期クロック発生部３３３では、画素クロック周波数の８倍の周波数に設定されているＶＣＬＫから、画素クロックＰＣＬＫを生成し、さらに、同期検知信号ＸＤＥＴＰに同期した画素クロックＰＣＬＫを生成している。よって、プリンタ制御部３１からの補正データによってＶＣＬＫの周波数が可変され、それにより画素クロックＰＣＬＫの周波数が可変されることになる。ＰＣＬＫの周波数を可変することで、画像の全体倍率を変えることができる。
【００２２】
図５に同期検知用点灯制御部３４の構成を示す。
同期検知用点灯制御部３４は、主走査ライン同期信号発生部と、主走査カウンタと、スタート側点灯制御部と、エンド側点灯制御部と、ＯＲ回路とに別れ、主走査ライン同期信号発生部は、主走査カウンタを動作させるためのライン同期信号を生成する。
【００２３】
主走査カウンタは、ライン同期信号でリセットし、画素クロックＰＣＬＫでカウントアップするカウンタである。
スタート側点灯制御部は、主走査カウンタのカウンタ値とプリンタ制御部３１からの設定値１を比較し、その結果を出力するコンパレータと、コンパレータからの比較結果とスタート側同期検知信号ＸＤＥＴＰからＸＤＥＴＰを検出するためのＬＤ点灯信号を生成する点灯信号生成部とを備えて構成されている。
【００２４】
エンド側点灯制御部は、主走査カウンタのカウンタ値とプリンタ制御部３１からの設定値２とを比較しその結果を出力するコンパレータと、コンパレータからの比較結果とエンド側同期検知信号ＸＥＤＥＴＰからＸＥＤＥＴＰを検出するためのＬＤ点灯信号を生成する点灯信号生成部とを備えて構成されている。
【００２５】
ＯＲ回路は、スタート側点灯信号とエンド側点灯信号をＯＲする回路である。また、各点灯信号生成部は、プリンタ制御部３１からの制御信号１、２により、各々の点灯信号をＯＮ／ＯＦＦできる機能を有している。
【００２６】
図６に、本実施形態におけるＬＤ点灯タイミングを示す。
図５に示した同期検知用点灯制御部３４に対し、設定値１＝Ｂ、設定値２＝Ａを設定することで、この図６に示すようなタイミングでＬＤが点灯することになる。Ａ、Ｂの値については、上述したようにフレア光影響がなく、同期検知信号ＸＤＥＴＰ、ＸＥＤＥＴＰが確実に検出できる値に設定する。ＸＤＥＴＰ、ＸＥＤＥＴＰを検出後、ＬＤを消灯しているので、ＸＥＤＥＴＰ検出後からカウンタ値＝Ｂまで、ＸＤＥＴＰ検出後からカウンタ値＝ＡまではＬＤは消灯している。
画像形成中については、ＸＤＥＴＰ検出後からカウンタ値＝Ａまで、画像データに伴い、ＬＤは点灯することになる。
【００２７】
以上のように、本実施形態としての画像形成装置によれば、プリンタ制御部３１からの制御信号１、２により、各々の点灯信号をＯＮ／ＯＦＦできる機能を有していることから、時間差の計測時のみエンド側同期検知信号ＸＥＤＥＴＰを検出するためのＬＤ点灯を行い、それ以外は消灯しておくことが容易にできる。
このため、画像品質の低下を防止し、ＬＤの寿命を長くすることができる。
【実施例２】
【００２８】
次に、本発明の第２の実施形態としての画像形成装置について説明する。本実施形態としての画像形成装置では、光ビーム走査装置１０、画像形成制御部について、上述した第１の実施形態と同様であり、点灯タイミングの設定値を画像倍率の補正に伴って可変としたものである。
【００２９】
図７に、本実施形態におけるＬＤ点灯タイミングを示す。本実施形態では、画像倍率を補正するため、画素クロックを可変した際、ＬＤ点灯タイミングの設定値１、設定値２を可変としている。
例えば、画像倍率を補正するために画素クロック周波数を下げた場合（遅くした場合）、同期検知信号の位置（タイミング）に対して、カウンタ値Ａ、Ｂが後方になってしまう可能性がある。よって、周波数を可変した分だけ設定値も可変（Ａ−α、Ｂ−β）し、センサ位置に対して常にほぼ同じ位置（タイミング）からＬＤを点灯させる。
【００３０】
周波数の可変テーブルを予め作成し、記憶されている場合は、それに対応する点灯タイミングの設定値のテーブルも予め作成して記憶しておき、設定される周波数に対応する設定値を使用すれば良い。また、予めテーブルを作成せずに周波数が変更される度に計算して設定値を求めても良い。
本実施形態によれば、点灯の時間差を計測する光ビームをより確実に検出することができる。
【実施例３】
【００３１】
次に、本発明の第３の実施形態としての画像形成装置について説明する。本実施形態としての画像形成装置では、画像形成装置、光ビーム走査装置１０、画像形成制御部については、第１、第２の実施形態と同様であり、予め設定されたタイミングで光ビームを消灯するようにしたものである。
【００３２】
図８に、本実施形態におけるＬＤ点灯タイミングを示す。本実施形態では、何らかの不具合により同期検知信号が検出できなかった場合、同期検知用点灯制御部３４によってＬＤを消灯している。図８ではエンド側の同期検知信号ＸＥＤＥＴＰが検出できなかった場合を示しているが、通常、ＸＥＤＥＴＰの検出により、ＬＤが消灯するが、仮に検出できなかった場合、カウンタ値が予め設定しておいた設定値＝Ｃになったところで、ＬＤを消灯する。
この設定値については、周波数の可変範囲を考慮して、確実にＸＥＤＥＴＰより後方になるような値に設定しておいても良く、第２の実施形態のように、周波数によって可変するようにしても良い。後者の方がより点灯時間を短くすることが可能となる。
【００３３】
以上のように、本実施形態によれば、予め設定されたタイミングで光ビームを消灯することにより、異常時に対しても画像品質の低下を防止し、ＬＤの寿命を長くすることができる。
また、画像倍率の補正に伴って消灯タイミングの設定値を可変とすることにより、異常時に対しても確実に画像品質の低下を防止し、よりＬＤの寿命を長くすることができる。
【実施例４】
【００３４】
次に、本発明の第４の実施形態としての画像形成装置について説明する。本実施形態としての画像形成装置では、光ビーム走査装置１０、画像形成制御部は上述した第１〜第３の実施形態と同様であり、１つの感光体ドラムと中間転写ベルトとを用いてカラー画像形成を行う構成としたものである。
【００３５】
図９に、本実施形態としてのカラー画像形成装置の要部を概念的に示す。
本実施形態としてのカラー画像形成装置では、画像データに応じて光書込みを行い、潜像担持体としての感光体２０に静電潜像を形成する。感光体２０である感光体ドラムは反時計方向に回転するが、その回りには感光体クリーニングユニット、除電器、帯電器、現像ユニット（ＢＫ現像器、Ｃ現像器、Ｍ現像器、Ｙ現像器）、担持体としての中間転写ベルトなどが配設されている。現像ユニットは、静電潜像を現像するために現像剤を感光体２０に対向させるように回転する現像スリーブと、現像剤を汲み上げ、攪拌するために回転する現像パドル（図示せず）等を備えて構成されている。
【００３６】
本実施形態における画像形成動作について説明する。ここでは現像動作の順序をＢＫ、Ｃ、Ｍ、Ｙとするが、これに限るものではない。
プリント動作が開始されると、まず、ＢＫ画像データに基づき光ビーム走査装置１０による光書込み、潜像形成が始まる。このＢＫ潜像の先端部から現像可能とすべく、ＢＫ現像器の現像位置に潜像先端部が到達する前に現像スリーブの回転を開始してＢＫ潜像をＢＫトナーで現像する。そして以降、ＢＫ潜像領域の現像動作を続けるが、ＢＫ潜像後端部がＢＫ現像位置を通過した時点で現像不作動状態にする。これは少なくとも、次のＣ画像データによるＣ潜像先端部が到達する前に完了させる。
【００３７】
感光体２０に形成したＢＫトナー像は、感光体２０と等速駆動されている中間転写ベルトの表面に転写する。このベルト転写は、感光体２０と中間転写ベルトが接触状態において、ベルト転写バイアスローラに所定のバイアス電圧を印加することで行う。なお、中間転写ベルトには感光体２０に順次形成するＢＫ、Ｃ、Ｍ、Ｙのトナー像を同一面に順次形成位置合わせして４色重ねてベルト転写画像を形成し、その後記録紙に一括転写を行う。
感光体２０では、ＢＫ工程の次にＣ工程に進み、その後、Ｍ工程、Ｙ工程と続くが、ＢＫ工程と同様なので省略する。
【００３８】
中間転写ベルトは、駆動ローラ、ベルト転写バイアスローラ、および従動ローラに巻き掛けられ、図示していない駆動モータにより駆動制御される。
ベルトクリーニングユニットは、ブレード、接離機構等で構成され、ＢＫ画像、Ｃ画像、Ｍ画像、Ｙ画像をベルトに転写している間は、接離機構によってブレードがベルトに当接しないようにしている。
【００３９】
紙転写ユニットは、紙転写バイアスローラ、接離機構等で構成され、紙転写バイアスローラは、通常は中間転写ベルト面から離間しているが、中間転写ベルトの面に形成された４色重ね画像を記録紙に一括転写する時に接離機構によって押圧され、所定のバイアス電圧を印加し、記録紙に画像を転写する。
【００４０】
なお、記録紙は中間転写ベルト面の４色重ね画像の先端部が紙転写位置に到達するタイミングに合わせて給紙される。こうして記録紙に転写された画像は、図示しない定着ユニットによって定着される。
本実施形態についても第１〜第３の実施形態により上述した各手段を用いることとしてよい。
以上のように、本実施形態としての画像形成装置によれば、上述した各実施形態による効果を得ることができる１ドラム方式の画像形成装置を提供することができる。
【実施例５】
【００４１】
次に、本発明の第５の実施形態としての画像形成装置について説明する。
本実施形態としての画像形成装置では、上述した第１〜第３の実施形態としての構成、動作を、イエロー（Ｙ）、マゼンタ（Ｍ）、シアン（Ｃ）、ブラック（ＢＫ）の４色の画像を重ね合わせたカラー画像を形成するために４組の画像形成部（感光体２０、現像ユニット、帯電器、転写器）と４組の光ビーム走査装置を備えて実現するものである。
【００４２】
図１０に、本実施形態としての４ドラム方式のカラー画像形成装置を示す。
転写ベルトによって矢印方向に搬送される記録紙上に１色目の画像を形成し、次に２色目、３色目、４色目の順に画像を転写することにより、４色の画像が重ね合わさったカラー画像を記録紙上に形成し、そして図示していないが定着装置によって記録紙上の画像が定着される。各色の画像形成部については、感光体２０の回りには、帯電器、現像ユニット、転写器、クリーニングユニット（図示せず）、除電器が備わっており、通常の電子写真プロセスである帯電、露光、現像、転写により記録紙上に画像が形成される。
本実施形態についても、４組の光ビーム走査装置において、第１〜第３の実施形態により上述した各手段が適用できる。
以上のように、本実施形態としての画像形成装置によれば、上述した各実施形態による効果を得ることができる４ドラム方式の画像形成装置を提供することができる。
【００４３】
このように、上述した各実施形態によれば、画像データに応じて点灯制御される発光源と、発光源から出力される光ビームを複数の偏向面によって主走査方向に偏向する偏向手段と、偏向手段により偏向される光ビームを主走査線上の２カ所で光ビームを検出する光ビーム検出手段と、１つの光ビーム検出手段が光ビームを検出してから他の光ビーム検出手段が光ビームを検出するまでの時間差を計測する手段と、計測した時間差から主走査方向の画像倍率を補正する手段を備えた画像形成装置であって、主走査線上の２カ所で光ビームを検出するための光ビームの点灯タイミングを各々独立に可変制御できることで、時間差を計測するときに無駄な光ビームの点灯をなくし、画像品質の低下を防止し、ＬＤの寿命を長くすることができ、時間差を計測する光ビームを確実に検出できる画像形成装置を提供することができる。
【００４４】
なお、上述した各実施形態は、本発明の好適な実施形態であり、本発明の主旨を逸脱しない範囲内において、種々変形して実施することが可能である。
例えば、本発明の各実施形態としての画像形成装置は、各種のものであってよく、モノクロ、単色カラー、フルカラーなどの複写機、プリンタ、ＦＡＸ、印刷機などに適用されることとしてよい。
【図面の簡単な説明】
【００４５】
【図１】本発明の第１の実施形態としての画像形成装置における光ビーム走査装置１０、感光体２０周りの構成の概要について示す図である。
【図２】該画像形成装置における画像形成制御部および光ビーム走査装置１０を示すブロック図である。
【図３】倍率誤差検出部３２の構成を示すブロック図である。
【図４】ＶＣＯクロック発生部３３２周りの構成を示すブロック図である。
【図５】同期検知用点灯制御部３４の構成を示すブロック図である。
【図６】第１の実施形態におけるＬＤ点灯タイミングを示す波形図である。
【図７】第２の実施形態におけるＬＤ点灯タイミングを示す波形図である。
【図８】第３の実施形態におけるＬＤ点灯タイミングを示す波形図である。
【図９】第４の実施形態としての１ドラム方式のカラー画像形成装置の要部を概念的に示す図である。
【図１０】第５の実施形態としての４ドラム方式のカラー画像形成装置の要部を概念的に示す図である。
【符号の説明】
【００４６】
１０    光ビーム走査装置
１１    ポリゴンミラー（偏向手段）
１２    ＬＤユニット（発光源）
１３    同期センサ（光ビーム検出手段）
１４    ｆθレンズ
１５    ミラー
１６    レンズ
２０    感光体（像担持体）
３１    プリンタ制御部（制御手段）
３２    倍率誤差検出部（時間差計測手段）
３３    画素クロック生成部
３３１    基準クロック発生部
３３２    ＶＣＤクロック発生部
３３３    位相同期クロック発生部
３４    同期検知用点灯制御部
３５    ＬＤ制御部
３６    ポリゴンモータ制御部
【図１】
2005193611.tif 000003
【図２】
2005193611.tif 000004
【図３】
2005193611.tif 000005
【図４】
2005193611.tif 000006
【図５】
2005193611.tif 000007
【図６】
2005193611.tif 000008
【図７】
2005193611.tif 000009
【図８】
2005193611.tif 000010
【図９】
2005193611.tif 000011
【図１０】
2005193611.tif 000012